(57)【要約】【課題】生体光信号及び脳波信号の複合的観察を容易に行える生体信号処理装置を提供する。【解決手段】生体光信号及び脳波の計測信号を、信号の時間変化を示すタイムコースグラフ、タイムコースグラフを計測位置に配置したタイムコースマップ、２次元画像、２次元画像の動画表示などを用いて、観察者の目的に応じて組み合わせて表示する。また、２信号間の関係を数学的に処理し、これを表示する。【選択図】  図１
2006187306.tif 000002
【特許請求の範囲】
【請求項１】
可視から赤外領域における光を被検体に照射して得られた透過光に基づいて計算された該被検体内部の状態変化を示す生体光信号を該被検体の部位と対応づけて入力する第一の入力手段と、
前記被検体の脳活動により生じた電気磁気信号に基づいて計算された脳活動信号を前記被検体の部位と対応づけて入力する第二の入力手段と、
前記入力した生体光信号及び前記入力した脳活動信号を前記被検体の部位と関連付けて同時に図形表示する表示手段と、
を備える生体信号処理装置。
【請求項２】
前記被検体の部位を操作者の指示入力に基づいて指定する手段をさらに備え、前記表示手段は該指定した部位における生体光信号及び脳活動信号を表示することを特徴とする請求項１に記載の生体信号処理装置。
【請求項３】
前記被検体の各部位における前記生体光信号を示す画像及び前記被検体の各部位における前記脳活動信号を示す画像を作成する画像作成手段をさらに備え、前記表示手段は該作成した画像を表示することを特徴とする請求項１に記載の生体信号処理装置。
【請求項４】
前記表示手段は、前記生体光信号を示す画像と前記脳活動信号を示す画像とを合成して表示することを特徴とする請求項３に記載の生体信号処理装置。
【請求項５】
前記表示手段は、前記生体光信号を示す画像と前記脳活動信号を示す画像とを別領域に表示することを特徴とする請求項３に記載の生体信号処理装置。
【請求項６】
前記生体光信号を示す画像及び前記脳活動信号を示す画像をそれぞれ第一のレイヤ及び第二のレイヤに投影する手段をさらに備え、前記表示手段は該第一のレイヤ及び第二のレイヤを三次元表示することを特徴とする請求項３に記載の生体信号処理装置。
【請求項７】
前記生体光信号と前記脳活動信号との関係を算出する手段をさらに備え、前記表示手段は該算出した結果を表示することを特徴とする請求項３乃至請求項６のいずれかに記載の生体信号処理装置。
【発明の詳細な説明】
【技術分野】
【０００１】
本発明は生体信号処理装置に係り、特に生体光信号及び脳波信号を複合的に観察するための生体信号処理装置に関するものである。
【背景技術】
【０００２】
生体光計測装置は、生体内部の血液循環・血行動態を、ヘモグロビン変化を計測することで簡便に、被検者に対して低拘束でかつ生体に害を与えずに計測できる装置である。このような生体光計測装置は、可視から赤外領域の波長の光を生体に照射し、生体内を通過した光を検出することで生体内部を計測する装置として知られている（例えば、特許文献１、特許文献２参照）。
【０００３】
この生体光計測装置の臨床応用としては、例えば頭部を計測対象とした脳内のヘモグロビン変化の活性化状態及び局所的な脳内出血の測定等が挙げられる。また、脳内のヘモグロビン変化に関連して、運動、感覚さらには思考に及ぶ高次脳機能等を計測することも可能である。本計測は特に被検者に軽量な、光照射及び検出のための複数のプローブを装着することで、被検者への負担が少なく、かつ小さな身体的拘束で、従来はＰＥＴや高磁場ＭＲＩ装置でのみ計測可能であった高度な脳機能の分布を計測できるという特徴を有している。
【０００４】
一方、同様な脳機能活動に伴い生体から生ずる脳波信号は、脳の神経活動を直接計測できる手段として、古くから脳疾患診断手段として用いられている。
【０００５】
この両者の信号は、同じ脳活動に伴う信号でありながら物理的メカニズムが異なるため信号の持つ情報が異なり、さらに空間、時間特性が補完的な関係にあることから両者の同時計測の試みがなされてきた。
【特許文献１】特開昭５７−１１５２３２号公報
【特許文献２】特開昭６３−２７５３２３号公報
【発明の開示】
【発明が解決しようとする課題】
【０００６】
上述のような脳波信号と生体光信号との同時計測は、両信号間の物理的相互干渉が無いため計測自体は比較的容易だが、両者の時間的空間的特性が大きく異なるため、両信号を複合的に観察して疾患診断に適用するのは専門医にとっても困難である。
【０００７】
特に、両者の信号を従来のそれぞれの手法において個別に表示するのみでは有効な診断情報を効率良く得ることができない。このため、観察者が両信号を容易に理解し、さらには単独では得られない新規診断情報の取得が可能になる新たな信号解析表示手段が必要となっている。
【０００８】
本発明は上記事情を鑑みてなされたもので、生体光信号及び脳波信号の複合的観察を容易に行える生体信号処理装置を提供することを目的とする。
【課題を解決するための手段】
【０００９】
上記目的を達成するために、請求項１に係る生体信号処理装置は、可視から赤外領域における光を被検体に照射して得られた透過光に基づいて計算された該被検体内部の状態変化を示す生体光信号を該被検体の部位と対応づけて入力する第一の入力手段と、前記被検体の脳活動により生じた電気磁気信号に基づいて計算された脳活動信号を前記被検体の部位と対応づけて入力する第二の入力手段と、前記入力した生体光信号及び前記入力した脳活動信号を前記被検体の部位と関連付けて同時に図形表示する表示手段と、を備える。
【００１０】
請求項１に係る生体信号処理装置では、生体光信号及び脳活動信号を前記被検体の部位と関連付けて同時に図形表示することにより、これらの信号の複合的観察を容易に行うことができる。
【００１１】
なお、信号の表示は、生体光信号及び脳活動信号の時間変化、信号の時間変化の計測位置との関係、特定時刻や特定時間帯の信号の分布、またそのような信号分布の時間軸方向の連続表示（動画表示）、などに基づいて行うことができる。
【００１２】
また、信号の表示は、信号を計測しつつリアルタイムで行うようにしてもよいし、計測終了後オフラインで行うようにしてもよい。
【００１３】
請求項２に係る生体信号処理装置は、請求項１に記載の生体信号処理装置において、前記被検体の部位を操作者の指示入力に基づいて指定する手段をさらに備え、前記表示手段は該指定した部位における生体光信号及び脳活動信号を表示することを特徴としている。
【００１４】
請求項２に係る生体信号処理装置では、被検体の部位と信号との関係をいっそう容易に把握することができる。
【００１５】
請求項３に係る生体信号処理装置は、請求項１に記載の生体信号処理装置において、前記被検体の各部位における前記生体光信号を示す画像及び前記被検体の各部位における前記脳活動信号を示す画像を作成する画像作成手段をさらに備え、前記表示手段は該作成した画像を表示することを特徴としている。
【００１６】
請求項３に係る生体信号処理装置では、画像表示により、生体光信号及び脳活動信号の複合的観察を容易に行うことができる。
【００１７】
請求項４に係る生体信号処理装置は、請求項３に記載の生体信号処理装置において、前記表示手段は、前記生体光信号を示す画像と前記脳活動信号を示す画像とを合成して表示することを特徴としている。
【００１８】
請求項５に係る生体信号処理装置は、請求項３に記載の生体信号処理装置において、前記表示手段は、前記生体光信号を示す画像と前記脳活動信号を示す画像とを別領域に表示することを特徴としている。
【００１９】
請求項６に係る生体信号処理装置は、請求項３に記載の生体信号処理装置において、前記生体光信号を示す画像及び前記脳活動信号を示す画像をそれぞれ第一のレイヤ及び第二のレイヤに投影する手段をさらに備え、前記表示手段は該第一のレイヤ及び第二のレイヤを三次元表示することを特徴としている。
【００２０】
請求項６に係る生体信号処理装置では、２つの画像を同時に表示しつつ、信号の計測位置を容易に把握することができる。
【００２１】
請求項７に係る生体信号処理装置は、請求項３乃至請求項６のいずれかに記載の生体信号処理装置において、前記生体光信号と前記脳活動信号との関係を算出する手段をさらに備え、前記表示手段は該算出した結果を表示することを特徴としている。
【００２２】
請求項７に係る生体信号処理装置では、生体光信号と脳活動信号との関係をいっそう容易に把握することができる。
【発明の効果】
【００２３】
本発明に係る生体信号処理装置では、生体光信号及び脳波信号の複合的観察を容易に行うことができる。
【発明を実施するための最良の形態】
【００２４】
以下、添付図面に従って、本発明に係る生体信号処理装置の好ましい実施の形態について詳説する。
【実施例１】
【００２５】
図１に、本実施の形態に係る生体信号処理システム１００の構成を示す。生体信号処理システム１００は、生体光計測装置３００と、脳波計測装置４００と、それらの信号を入力し処理表示する生体信号処理装置２００から構成されている。
【００２６】
生体信号処理装置２００は本発明に係る生体信号処理装置の一つの実施形態であり、データ入力部２１０と、データ保存部２２０と、データ処理部２３０と、データ表示部２４０とから構成されている。
【００２７】
生体光計測装置３００で計測された被検者のヘモグロビンの時間変化信号はデータ入力部２１０に入力され、データ保存部２２０に転送され保存される。同データには各計測点の位置を示す情報および計測時間の情報も付加され同時に転送される。
【００２８】
一方、脳波計測装置４００で計測された上記同一被検者の頭部に配置した電極からの時間信号の変化もまた、計測時間および各計測点を示す情報ともにデータ入力部２１０に入力され、データ保存部２２０に転送され保存される。
【００２９】
データ処理部２３０では、これらの２装置からのデータを付加された計測時間及び計測位置情報に基づいて複合的に処理し、その結果をデータ表示部２４０に表示する。
【００３０】
データ表示は計測中リアルタイムで表示する場合と計測終了後オフラインで行う場合があるが、以下で提示する表示法は両者に適用可能である。
【００３１】
さらに両データをリアルタイム、オフラインで表示するほか、生体光信号または脳波信号の一方のみを実時間データとし、他のデータは保存してあるデータを用いて表示する、異なる時間モードの組合せにより実時間計測の観察を容易にすることができる。
【００３２】
生体光信号及び脳波信号は頭皮上の複数の計測点における信号であり、計測位置を示す情報が保存されている。それぞれの信号の表示形態としては
１．各点の信号の時間変化をしめすタイムコースグラフィ
２．１の時間グラフを計測位置に配置したタイムコースマップ
３．各点の計測信号の特定時刻または特定時間域の平均をもとに構成した２次元画像
４．各点の特定時刻の信号で作成した３の２次元画像の動画表示
がある。生体信号処理システム１００では、これらを観察者の目的に応じて適宜組み合わせ表示することで、生体光信号及び脳波信号の複合的観察を容易に行うことができる。
【００３３】
ここで、生体光計測装置３００について説明する。図２に、生体光計測装置３００の全体構成を示す。また、図３に生体光計測装置３００の要部構成を示す。
【００３４】
なお、本実施例では、例えば頭部の皮膚上から光を照射・検出することにより大脳内部を画像化する実施形態を、計測チャンネルの個数すなわち計測位置の数が１２の場合について示す。ただし、生体光計測装置３００は、計測対象として頭部に限らず他の部位、さらには生体以外にも実施可能である。
【００３５】
光源部１は、４個の光モジュール２から構成されている。各光モジュールは、可視から赤外の波長領域中で複数の波長、例えば７８０ｎｍ及び８３０ｎｍの二波長の光をそれぞれ放射する二個の半導体レーザから構成されている。これらの二波長の値は、７８０ｎｍと８３０ｎｍに限定されるものではなく、また、波長数も二波長に限定されるものではない。この光源部１については、半導体レーザの代わりに発光ダイオードを用いてもよい。この光源部１に含まれる全ての半導体レーザ８個は、発振周波数の異なる８個の発振器で構成されている発振部３により、それぞれ変調される。
【００３６】
ここで、光モジュール２内の構成を、光モジュール２(1)を例にして図４で説明する。光モジュール２(1)内には、半導体レーザ３(1-a)、３(1-b)、及びこれら半導体レーザの駆動回路４(1-a)、４(1-b)、が含まれている。ここで、括弧内の文字については、数字は含まれる光モジュール番号を、a,bはそれぞれ波長７８０ｎｍ、８３０ｎｍを表す記号を示している。
【００３７】
これらの半導体レーザ駆動回路４(1-a)、４(1-b)では、半導体レーザ３(1-a)、３(1-b)に対して直流バイアス電流を印可すると共に、発振器３によりそれぞれ異なる周波数ｆ(1-a)、ｆ(1-b)をも印加することで、半導体レーザ３(1-a)、３(1-b)から放射される光に変調を与える。この変調として、本実施例では正弦波によるアナログ変調の場合を示すが、もちろん、それぞれ異なる時間間隔の矩形波によるデジタル変調を用いてもよい。
【００３８】
これら半導体レーザから放射された光は、それぞれの半導体レーザごとに集光レンズ５により光ファイバ６に個々に導入される。個々の光ファイバに導入された二波長の光は、各光モジュールごとに光ファイバ結合器７により１本の光ファイバ、たとえば照射用光ファイバ８−１内に導入される。各光モジュールごとに二波長の光が照射用光ファイバ８−１から８−４内に導入され、これら照射用光ファイバの他端から被検体９の表面上の異なる４個所の照射位置から光が照射される。被検体内を通過した光は、被検体表面上の５個所の検出位置に配置されている検出光ファイバ１０−１〜１０−５で検出される。
【００３９】
これら光ファイバの端面は被検体表面上に軽く接触しており、例えば特開平９―１４９９０３号に記載されているプローブにより光ファイバは被検体に装着される。
【００４０】
ここで、被検体表面上における、照射位置１〜４及び検出位置１〜５の幾何学的配置例を図６に示す。本実施例では、照射・検出位置を交互に正方格子上に配置する。このとき、隣接する照射・検出位置の中点を計測位置とすると、この場合、隣接する照射・検出位置の組合せが１２通り存在するため、計測位置数すなわち計測チャンネルが１２個となる。
【００４１】
この光照射・検出位置配置としては、例えば特開平９―１４９９０３号及びユウイチ・ヤマシタ(Yuichi Yamashita)他による「近赤外光トポグラフィ計測システム：散乱媒体中に局在する吸収体の画像化(Near-infrared topographic measurement system: Imaging of absorbers localized in a scattering medium)」、１９９６年、レヴューオブサイエンティフィックインスツルメント、第６７巻、第７３０〜７３２頁(Rev. Sci. Instrum.,67,730(1996))に記載されている。
【００４２】
ここで、隣接する照射及び検出位置間隔を３ｃｍに設定すると、各検出位置で検出された光は皮膚、頭蓋骨を通過して大脳の情報を有していることが、例えばピィー・ダブル・マコーミック(P.W.McCormic)他による「赤外光の大脳内部の浸透(Intracerebral penetration of infrared light)」，１９９２年，ジャーナルオブニューロサージェリ，第７６巻，第３１５〜３１８頁(J.Neurosurg.,33,315(1992))により報告されている。
【００４３】
以上のことから、この照射検出位置の配置で１２計測チャンネルを設定すれば、全体として６ｃｍ×６ｃｍの領域における大脳の計測が可能となる。この実施例では、簡単のために計測チャンネルが１２の場合を示しているが、格子状に配置する光照射位置及び光検出位置の数をさらに増加させることにより、計測チャンネルをさらに増加させて、計測領域を拡大することも容易に可能である。
【００４４】
例えば、図７では２４チャンネル計測における光照射・検出位置配置を示している。また、隣接する照射及び検出位置間隔は３ｃｍに限定するものではなく、計測部位等に応じて適宜変化させることもできる。
【００４５】
図３において、それぞれの検出用光ファイバ１０−１〜１０−５で捕らえられた反射光は、検出位置毎に、すなわち各検出位置に対応した検出用光ファイバ毎に独立に５個の光検出器、例えばフォトダイオード１１−１〜１１−５で検出する。このフォトダイオードとしては、高感度な光計測が実現できるアバランシェフォトダイオードが望ましい。また、光検出器として光電子増倍管を用いてもよい。これらのフォトダイオードで光信号が電気信号に変換された後、変調信号の選択的な検出回路、例えば複数のロックインアンプから構成されるロックインアンプモジュール１２で、照射位置かつ波長に対応した変調信号を選択的に検出する。
【００４６】
本実施例では、アナログ変調の場合に対応する変調信号検出回路としてのロックインアンプを示しているが、デジタル変調を用いた場合、変調信号検出としてデジタルフィルターやデジタルシグナルプロセッサを用いる。
【００４７】
ここで、図６の検出位置３における検出信号、すなわちフォトダイオード１１−３における検出信号を例にして、変調信号分離の具体例を図５に示すロックインアンプモジュール１２の構成図を用いて説明する。「検出位置３」では、隣接した「光照射位置１」、「光照射位置２」、「光照射位置３」、「光照射位置４」から照射された光、すなわち図６における「計測位置４」、「計測位置６」、「計測位置７」、「計測位置９」を計測対象とする。
【００４８】
ここで、フォトダイオード１１−３で検出された光は、「照射位置１」、「照射位置２」、「照射位置３」、「照射位置４」で照射された各二波長の光に対応する変調周波数ｆ(1-a)、ｆ(1-b)、ｆ(2-a)、ｆ(2-b)、ｆ(3-a)、ｆ(3-b)、ｆ(4-a)、ｆ(4-b)、の８個の信号を含んでいる。そこで、フォトダイオード１１−１の出力信号を８個所に分配し、それぞれ、これら８個の変調周波数を参照信号としている８個のロックインアンプ１３−９〜１３−１６で計測する。
【００４９】
これら各ロックインアンプへの入力信号はここで、例えばロックインアンプ１３−９では参照信号の周波数がｆ(1-a)のため、フォトダイオード１１−１で検出された光に対して、「照射位置１」で照射された波長７８０ｎｍの光、すなわち光の変調周波数がｆ(1-a)の光のみを選択的に検出することが出来る。同様に他のロックインアンプにおいても、特定の照射位置かつ波長の光をそれぞれ選択的に検出することが出来る。
【００５０】
このようにして、他の検出位置で検出された光、すなわち他のフォトダイオード１１―１、２、４、５からの検出信号についても、それぞれの隣接した照射位置及び波長に対応する変調周波数に対して個々にロックイン検出を行うことにより、全ての計測位置及び波長に対する検出光量を計測することが可能となる。この実施例で示している二波長及び１２個の計測位置の場合、計測する信号数は２４となるため、ロックインアンプモジュール１２では合計２４個のロックインアンプを含んでいる。
【００５１】
これらロックインアンプ１３−１から１３−２４のアナログ出力信号は、２４チャンネルのアナログデジタル変換器１４によりそれぞれデジタル信号に変換される。これらの計測は、制御部１７により制御されている。さらに、計測された信号は記録部１８に記録される。
【００５２】
この結果から、処理部１５において、各計測位置ごとに二波長の検出光量を用いて、脳活動に伴う酸素化ヘモグロビン濃度変化及び脱酸素化ヘモグロビン濃度変化、さらにはこれらヘモグロビン濃度総量としての全ヘモグロビン濃度変化を計算する。
【００５３】
例えば、特開平９―１９４０８号及び前述アツシ・マキ(Atsushi Maki)他による「無侵襲近赤外光トポグラフィによるヒト脳活動の時空間解析(Spatial and temporal analysis of human motor activity using noninvasive NIR topography)」、１９９５年、メディカルフィジックス、第２２巻、第１９９７〜２００５頁(Medical physics, 22,1997(1995))及びに記載されている方法で計算し、表示部１６において、その結果を画像、例えば２次元画像として表示する。
【００５４】
一方、脳波計測装置４００は、被検者頭部の所定の部位に脳波電極を装着しこれから導いた電流を観察することで、脳の神経活動を脳内各点の特有な信号として捕らえることができる。脳波信号は多数回の繰り返し刺激により１０−３００ｍｓ秒の早い反応を計測する誘発脳波と、時間景観で連続的に波を計測する連続脳波計測がありそれぞれに適した計測法、計測装置が開発され広く臨床で使われている。
【００５５】
生体光計測装置３００及び脳波計測装置４００で計測された信号は、生体光信号では各計測点のヘモグロビン量変化の時間変化が、脳波信号では各時間における電気信号の変化が、誘発では刺激の繰り返し期間の時間方向での電位変化が、連続法では計測時間全域に渡る電気信号の主に振動変化が記録され保存される。
【００５６】
この両者の信号には被検者のＩＤ他の情報と計測位置、及び計測の時刻に関する情報が併記され保存されている。
【００５７】
以下では、生体光信号及び脳波信号の情報を簡便かつ観察者が容易に診断可能な形で、同時あるいは時間相互に表示する手順を、具体的な例で提示する。
【００５８】
図８では、計測された信号のうち脳波計測によって得られた２次元画像を被検者の頭部を示す画像上に重ね合わせて表示する例を示している。さらに上記脳波計測の２次元画像上に生体光計測の２次元画像を重ねて表示を行うが、このとき、前記脳波計測の２次元画像の表示とは異なる色相を用いる。通常本例のような２次元画像表示では、モノクロの濃淡を用いるほか、特定の２種以上の色の混合による擬似濃淡を用いるが、本例では両２次元画像の識別を容易にするため、例えば一方を赤−青相、他方を黄色-緑色相など、異なった擬似カラーを用いる。
【００５９】
また、脳波計測の２次元画像を擬似カラーの濃淡で表示し、生体光信号を擬似カラーに含まれない色の線を用いた等高線図とし、重ね合わせてもよい。
【００６０】
両者の表示層の上下関係は、これと逆の場合も可能であり、さらに観察者の希望に応じて上下関係を任意に指定できるようにしてもよい。さらに２層の上記画像のうち一方をトランスペアレントな画像とすることで、両者の関係を容易に観察することができる。
【００６１】
図９では、脳波信号及び生体光信号の計測位置を示す２次元画像上から所望の観察位置を選択すると、上記選択位置を示すマークとともに表示画面上の位置表示画像と異なる部位に２種のタイムコース信号を並列して表示する場合の例を示している〔引出し画面〕。
【００６２】
第１０図は上記引出し画面を２次元画像上に表示するもので、２次元的な分布画像と共に２信号の時間変化の関係を簡便に表示できる。
【００６３】
図１１は２種の２次元画像を同時に表示しながら計測位置が容易に判別できるよう、２層の２次元画像を３次元空間上の２層の高さの異なる面として表示している。両者の表示層の上下関係は、これと逆の場合も可能であり、さらに観察者の希望に応じて上下関係を任意に指定できるようにしてもよい。
【００６４】
図１２はタイムコースグラフを計測位置に表示するタイムコースマップ画面で、２種の各タイムコースグラフにグラフを並列または重畳して表示しており、各計測点における両信号の関係が容易に観察できる。
【００６５】
上記表示では２種のデータを並列または重畳して表示しており、相互の信号間の関係は観察者が判断しているが、２信号間の関係を数学的に処理しこれを表示すれば、さらに観察者の負担を低減することが出きる。
【００６６】
図１３は２種の信号の分布を表す２つの画像の各点で２データの値を掛け算し、この結果を合成画像として新たに構成し表示する場合の例である。この結果、両データの信号が同時に増加する部位では合成画像が強調されることで、２信号間の関係が明確に提示される。
【００６７】
ここで、２信号間の演算は、希望する観察現象に応じて理論的または実験的に最適化された関数を用いてもよい。例えば図１４に示すように、両データを最大値で規格化しこれを２データを直交軸とする位相画面に表示することで両データの時間関係を表す図形を構成し、これから例えば同図形の面積を求めることでパラメータを抽出し、これを２次元画像に表示するようにしてもよい。
【００６８】
このようにして、本実施の形態に係る生体信号処理システム１００では、生体光信号及び脳波の複合的観察を容易に行うことができる。
【図面の簡単な説明】
【００６９】
【図１】本発明の一の実施の形態に係る生体信号処理システムの構成を示す図である。
【図２】本発明の一の実施の形態に係り、生体光計測装置の全体構成を示す図である。
【図３】本発明の一の実施の形態に係り、生体光計測装置の要部構成を示す図である。
【図４】本発明の一の実施の形態に係り、光モジュールの構成を示す図である。
【図５】本発明の一の実施の形態に係り、ロックインアンプモジュールの構成を示す図である。
【図６】本発明の一の実施の形態に係り、光照射位置及び光検出位置の幾何学的配置例を示す図である。
【図７】本発明の一の実施の形態に係り、光照射位置及び光検出位置の幾何学的配置の他の例を示す図である。
【図８】本発明の一の実施の形態に係り、２次元画像の重ね合せ表示の例を示す図である。
【図９】本発明の一の実施の形態に係り、計測位置表示の例を示す図である。
【図１０】本発明の一の実施の形態に係り、引き出し表示の例を示す図である。
【図１１】本発明の一の実施の形態に係り、２レイヤ表示の例を示す図である。
【図１２】本発明の一の実施の形態に係り、マップ表示の例を示す図である。
【図１３】本発明の一の実施の形態に係り、画像間演算の例を示す図である。
【図１４】本発明の一の実施の形態に係り、相互位相表示の例を示す図である。
【符号の説明】
【００７０】
１００・・・生体信号処理システム、２００・・・生体信号処理装置、２１０・・・データ入力部、２２０・・・データ保存部、２３０・・・データ処理部、２４０・・・データ表示部、３００・・・生体光計測装置、４００・・・脳波計測装置
【図１】
2006187306.tif 000003
【図２】
2006187306.tif 000004
【図３】
2006187306.tif 000005
【図４】
2006187306.tif 000006
【図５】
2006187306.tif 000007
【図６】
2006187306.tif 000008
【図７】
2006187306.tif 000009
【図８】
2006187306.tif 000010
【図９】
2006187306.tif 000011
【図１０】
2006187306.tif 000012
【図１１】
2006187306.tif 000013
【図１２】
2006187306.tif 000014
【図１３】
2006187306.tif 000015
【図１４】
2006187306.tif 000016